(57)【特許請求の範囲】
【請求項１】
縦軸まわりに回転自在に連結された可動ブロックと固定ブロックを備え、
前記可動ブロックが、扉の上端面又は下端面に固定され、
前記固定ブロックが、扉枠のうち縦枠の内側面に固定された取付ベースに装着されることで、前記取付ベースを介して前記縦枠の内側面に固定され、
前記可動ブロックと前記固定ブロックが上下方向に対向する互いの対向面で摺接するように構成され、
前記固定ブロックは、カム板の回転によって前記可動ブロックを左右に位置調整する左右調整用のカム機構を有し、
前記取付ベースは、カム板の回転によって前記固定ブロックを前後に位置調整する前後調整用のカム機構を有する
ことを特徴とするヒンジ装置。
【請求項２】
前記固定ブロックは、
前記カム板を外部から回転操作するためのカム操作部と、
前記カム板の回転に伴って左右方向に位置調整される位置調整プレート部とを有し、
前記可動ブロックが全閉位置にあるときはこの可動ブロックが前記カム操作部を隠し、
前記可動ブロックが前記全閉位置から所定角度を超えて回転したときには前記カム操作部を露出させるものであることを特徴とする請求項１に記載のヒンジ装置。
【発明の詳細な説明】
【技術分野】
【０００１】
本発明は、扉と扉枠を回動自在に連結させるヒンジ装置に関する。
【背景技術】
【０００２】
特許文献１には、扉と扉枠を連結させる調整蝶番が記載されている。この調整蝶番は、一対の羽根板の端縁部同士をピンによって開閉自在に連結させたものであり、調整カムを用いたカム機構を一方の羽根板に備え、この調整カムを水平軸中心に回転させることにより扉をスライドさせ、位置調整を行う構造である。
【先行技術文献】
【特許文献】
【０００３】
【特許文献１】特開２００１−３４２７７２号公報
【発明の概要】
【発明が解決しようとする課題】
【０００４】
上述した従来の調整蝶番は、カム機構の部分において扉の荷重を受ける構造である。そのため、扉を取り付けた状態で位置調整を行う場合には、カム機構の調整カムを回転させるために大きなトルクが必要となる。これに対して、調整作業中に他の作業者に扉を持ち上げてもらえば、調整カムの回転に要するトルクは軽減される。しかし、他の作業者の協力が必要であるから、作業効率の低下を招くことになる。
【０００５】
本発明は、前記問題点に鑑みて発明したものであり、作業者一人であっても小さな力で扉の位置調整を行うことのできるヒンジ装置を提案することを、課題とする。
【課題を解決するための手段】
【０００６】
前記課題を解決するために本発明を、縦軸まわりに回転自在に連結された可動ブロックと固定ブロックを備え、前記可動ブロックが、扉の上端面又は下端面に固定され、前記固定ブロックが、扉枠のうち縦枠の内側面に固定された取付ベースに装着されることで、前記取付ベースを介して前記縦枠の内側面に固定され、前記可動ブロックと前記固定ブロックが上下方向に対向する互いの対向面で摺接するように構成され、前記固定ブロックは、カム板の回転によって前記可動ブロックを左右に位置調整する左右調整用のカム機構を有し、前記取付ベースは、カム板の回転によって前記固定ブロックを前後に位置調整する前後調整用のカム機構を有することを特徴としたヒンジ装置とする。
【０００７】
本発明において、前記固定ブロックは、前記カム板を外部から回転操作するためのカム操作部と、前記カム板の回転に伴って左右方向に位置調整される位置調整プレート部とを有し、前記可動ブロックが全閉位置にあるときはこの可動ブロックが前記カム操作部を隠し、前記可動ブロックが前記全閉位置から所定角度を超えて回転したときには前記カム操作部を露出させるものであることが好ましい。
【発明の効果】
【０００９】
本発明は、作業者一人であっても小さな力で扉の位置調整を行うことができるという効果を奏する。
【図面の簡単な説明】
【００１０】
【図１】本発明の一実施形態の下側ヒンジ装置を下側取付ベースに装着した斜視図である。
【図２】同上の下側ヒンジ装置の斜視図である。
【図３】同上の下側ヒンジ装置の他の斜視図である。
【図４】同上の下側ヒンジ装置の分解斜視図である。
【図５】同上の下側取付ベースの斜視図である。
【図６】同上の下側取付ベースの分解斜視図である。
【図７】同上の下側ヒンジ装置を途中まで開いた斜視図である。
【図８】同上の下側ヒンジ装置を全開にした斜視図である。
【図９】本発明の一実施形態の上側ヒンジ装置の斜視図である。
【図１０】本発明の一実施形態の上側取付ベースの斜視図である。
【図１１】本発明の一実施形態のヒンジ装置を用いて扉を扉枠に取り付けた状態の正面図である。
【発明を実施するための形態】
【００１１】
本発明を、添付図面に示す実施形態に基づいて説明する。
【００１２】
図１１は、本発明の一実施形態のヒンジ装置を扉１００と扉枠１１０の間に取り付け、この扉１００を全閉状態にした正面図である。本文中において用いる上下、前後、左右等の各方向は、この全閉状態を基準とする。
【００１３】
本実施形態では、ヒンジ装置として下側ヒンジ装置Ａと上側ヒンジ装置Ｂを備え、下側ヒンジ装置Ａによって扉１００と扉枠１１０の下部同士を回動自在に連結させ、上側ヒンジ装置Ｂによって扉１００と扉枠１１０の上部同士を回動自在に連結させる。
【００１４】
下側ヒンジ装置Ａと上側ヒンジ装置Ｂの構造は、略同様の構造を上下反転させたものとなっている。したがって、まず下側ヒンジ装置Ａの構造について詳しく述べる。なお、図１〜図８には、下側ヒンジ装置Ａやこれと共に用いる下側取付ベース６０を示し、図９や図１０に、上側ヒンジ装置Ｂやこれと共に用いる上側取付ベース８０を示す。
【００１５】
図２〜図４等に示すように、下側ヒンジ装置Ａは、第一回転軸５まわりに回転自在に連結された可動ブロック２と固定ブロック１を備える。可動ブロック２はさらに、中間ブロック３と扉側ブロック４からなる。中間ブロック３は、固定ブロック１に対して第一回転軸５まわりに回転自在に連結されるブロックであり、扉側ブロック４は、この中間ブロック３に対して第二回転軸６まわりに回転自在に連結されるブロックである。第一回転軸５と第二回転軸６は、共に鉛直方向を軸方向とした縦軸であり、位置をずらして配置される。
【００１６】
図４の分解斜視図で示すように、固定ブロック１では、共に平板状である位置調整プレート７、位置調整ベース８及び位置調整ベースカバー９を、互いの厚み方向（即ち上下方向）に積層させて、位置調整プレート部１０を構成している。この位置調整プレート部１０の周囲を、側部カバー１１で覆っている。位置調整プレート部１０には、水平プレート１２と鉛直プレート１３をＬ字状に連続して有する枠側連結具１４が、左右調整用のカム機構を介して左右スライド自在に連結される。具体的には、位置調整プレート７にカム孔１５を設け、枠側連結具１４の水平プレート１２上にカム板１６を回転自在に支持し、このカム板１６をカム孔１５内に配することで、左右調整用のカム機構を形成している。
【００１７】
カム板１６にはドライバ溝として十字溝を設けており、位置調整ベース８と位置調整ベースカバー９には、この十字溝に外部からドライバ先端を挿入するための位置調整窓１７，１８を、それぞれ設けている。これら十字溝や位置調整窓１７，１８により、カム板１６を外部から回転操作するためのカム操作部が形成される。
【００１８】
また、位置調整プレート７には、左右調整用の固定ネジ１９を挿通させる挿通孔２０を設けている。この固定ネジ１９の先端を水平プレート１２に螺合させ、固定ネジ１９の頭部と水平プレート１２との間で位置調整プレート７を挟持することで、位置調整プレート部１０の左右位置が固定される。
【００１９】
固定ネジ１９の頭部にはドライバ溝として十字溝を設けており、位置調整ベース８と位置調整ベースカバー９には、この十字溝に外部からドライバ先端を挿入するための固定操作窓２１，２２を設けている。これら十字溝や固定操作窓２１，２２により、固定ネジ１９を外部から回転操作するための固定操作部が形成される。
【００２０】
また、水平プレート１２のガイド孔２４を通じて下方から位置調整用軸２３を挿入し、この位置調整用軸２３の先端を位置調整プレート７に固定することで、位置調整プレート部１０の左右方向のスライドがガイドされるように設けている。
【００２１】
位置調整ベースカバー９には、第一回転軸５が挿入される第一回転軸挿入孔２５と、この第一回転軸挿入孔２５（即ち第一回転軸５）を中心とした第一円弧状長孔２６を貫通形成している。第一円弧状長孔２６は、その端部に折れ曲がり部分２７を有している。位置調整ベース８や位置調整プレート７においても、連通する箇所に同様の孔部を形成している。
【００２２】
枠側連結具１４の鉛直プレート１３には、一対の位置固定孔２８と位置調整窓２９が貫通形成されており、さらに、長片状の仮保持解除片５０が回転自在に装着されている。水平プレート１２からは、位置調整用軸２３の下部がガイド孔２４を通じて突出される。
【００２３】
この鉛直プレート１３には、図５、図６に示す下側取付ベース６０が仮保持及び本固定される。下側取付ベース６０の構造については後述する。
【００２４】
中間ブロック３では、共に平板状である中間プレートスペーサ３０、中間プレート３１、小プレート３２及び中間プレートカバー３３を、互いの厚み方向に積層させ、その周囲を側部カバー３４で覆っている。
【００２５】
中間プレートカバー３３と中間プレート３１の間のスペースには、両端に第一係止ピン３５と第二係止ピン３６を装着するプロペラ状の連動アーム３７を、中央の回転軸部３８まわりに回転自在に配している。第一係止ピン３５は、中間プレート３１と中間プレートスペーサ３０に設けた長孔を通じて下向き、つまり固定ブロック１側に突出するように配置される。第二係止ピン３６は、中間プレートカバー３３に設けた長孔を通じて上向き、つまり扉側ブロック４側に突出するように配置される。
【００２６】
中間ブロック３には、中間プレートスペーサ３０、中間プレート３１及び小プレート３２を貫くようにピン状の第一回転軸５が連結され、この第一回転軸５の下部が固定ブロック１側に突出される。また、中間ブロック３には、中間プレート３１、小プレート３２及び中間プレートカバー３３を貫くように第二回転軸６が連結され、この第二回転軸６の上部が扉側ブロック４側に突出される。
【００２７】
扉側ブロック４では、扉側取付プレートカバー４０、扉側第一取付プレート４１及び扉側第二取付プレート４２を厚み方向に積層させて扉側取付プレート部４４を形成し、この扉側取付プレートカバー４０に、枠状の扉側連結具４３を装着している。扉側連結具４３からは、固定ブロック１側にむけてスカート片４５を延設している。スカート片４５には、切り欠き窓４６を設けている。
【００２８】
扉側取付プレートカバー４０には、ピン状の第二回転軸６が回動自在に挿入される第二回転軸挿入孔４７と、この第二回転軸挿入孔４７（即ち第二回転軸６）を中心とした第二円弧状長孔４８を貫通形成している。第二円弧状長孔４８は、その端部に折れ曲がり部分４９を有している。また、扉側第二取付プレート４２と扉側第一取付プレート４１においても、連通する箇所に同様の孔部を形成している。
【００２９】
以上のようにして、下側ヒンジ装置Ａの固定ブロック１及び可動ブロック２が形成される。下側ヒンジ装置Ａは、前述のように下側取付ベース６０を介して、扉枠１１０に取付固定される。
【００３０】
下側取付ベース６０では、図５や図６に示すように、前後調整用の位置調整プレート６１、位置調整スペーサ６２及び枠側取付ベース６３を、互いの厚み方向（左右方向）に積層させている。
【００３１】
位置調整プレート６１と位置調整スペーサ６２は、前後調整用のカム機構を介して、金属製の枠側取付ベース６３に対して前後スライド自在に連結される。具体的には、位置調整プレート６１にカム孔６４を設け、枠側取付ベース６３にカム板６５を回転自在に支持させ、このカム板６５をカム孔６４内に配することで、前後調整用のカム機構を形成している。カム板６５にはドライバ溝として十字溝を設けており、固定ブロック１の枠側連結具１４に下側取付ベース６０を装着したときには、枠側連結具１４の位置調整窓２９を通じて十字溝にドライバ先端を挿入できるように設けている。
【００３２】
また、位置調整スペーサ６２には、異形ナット７５を一対一で嵌合させるナット孔６６を、一対設けている。枠側取付ベース６３には、異形ナット７５の端部が前後スライド自在に収められる一対のスライド孔６７を設けている。
【００３３】
この異形ナット７５に対して、枠側連結具１４の位置固定孔２８を通じて固定ネジ６８をそれぞれ螺合させ、固定ネジ６８の頭部と異形ナット７５との間で、枠側連結具１４と位置調整プレート６１を挟持する。これにより、枠側連結具１４がその前後位置で固定される。
【００３４】
また、位置調整スペーサ６２の前後両側の端縁からは、弾性を有する係止爪片６９をそれぞれ同一方向に突設している。この係止爪片６９は、位置調整スペーサ６２に対して枠側連結具１４の鉛直プレート１３を仮保持するための仮保持構造として機能する。この一対の係止爪片６９のうち一方は、枠側連結具１４に装着された状態において仮保持解除片５０を回転操作すれば、仮保持解除片５０の端部が当って押し広がり、爪部分による仮保持が解除されるように設けている。解除機構をなす仮保持解除片５０の回転中心部には、外部から解除操作を行うための解除操作部７０として、ドライバ先端が挿入される十字溝を設けている。
【００３５】
さらに、位置調整プレート６１の下端からは水平片７１を延設しており、この水平片７１の先端部に載置台７２を設けている。載置台７２の上面には、金属部材からなる位置決め係合部７３を設けている。位置決め係合部７３は、平面視において左右方向を長手方向とした長穴状の凹溝を有している。この載置台７２の上面には、下側ヒンジ装置Ａが有する枠側連結具１４の水平プレート１２が載置される。このとき、位置決め係合部７３の凹溝内には、被係合部となる位置調整用軸２３の下部（図３参照）が挿入される。位置決め係合部７３をなす金属部材（ひいてはこれに載置される下側ヒンジ装置Ａ）は、載置台７２の側面に設けた上下調整ネジ７４を正逆回転させることによって、上下位置調整される。
【００３６】
以上、下側ヒンジ装置Ａとこれに装着する下側取付ベース６０の構造について説明した。次に、上側ヒンジ装置Ｂとこれに装着する上側取付ベース８０について説明する。
【００３７】
図９に示す上側ヒンジ装置Ｂは、前述したように、下側ヒンジ装置Ａの構造を上下反転させた基本構造を有する。したがって、上側ヒンジ装置Ｂの構造については、下側ヒンジ装置Ａと同一符号を付して詳しい説明を省略する。
【００３８】
図１０に示す上側取付ベース８０においても、下側取付ベース６０の構造を上下反転させた基本構造を有する。なお、上側取付ベース８０では、載置台７２の代わりに、中央に切欠部８１を備えた二股状の水平片８２を備えている。切欠部８１は、上側ヒンジ装置Ｂが備える枠側連結具１４から上方に突出する位置調整用軸２３が、水平片８２と接触しないように逃がす部分となる。上側取付ベース８０の他の構造については、下側取付ベース６０と同一符号を付して詳しい説明を省略する。
【００３９】
上記した下側ヒンジ装置Ａ、下側取付ベース６０、上側ヒンジ装置Ｂ及び上側取付ベース８０を用いて、扉１００を扉枠１１０に回転自在に取り付けるための取付構造が形成される。
【００４０】
具体的には、以下に述べるようにして扉１００が取り付けられる。まず、扉枠１１０の内側面下部に、下側取付ベース６０の枠側取付ベース６３をネジ固定する。このとき、下側取付ベース６０の載置台７２下面が床面に当接するように設ける（図１１参照）。扉枠１１０の内側面上部には、上側取付ベース８０の枠側取付ベース６３をネジ固定する。扉枠１１０に固定された下側取付ベース６０と上側取付ベース８０とは、基本的な構成が上下反転した配置となる。
【００４１】
扉１００の吊元側端部の下面及び上面には、それぞれ切欠部分１０１，１０２を設けておき、下面側の切欠部分１０１に、下側ヒンジ装置Ａの扉側ブロック４が有する扉側取付プレート部４４を、ネジ固定する。同様に、上側の切欠部分１０２には、上側ヒンジ装置Ｂの扉側ブロック４が有する扉側取付プレート部４４を、ネジ固定する。扉１００に固定された下側ヒンジ装置Ａと上側ヒンジ装置Ｂとは、基本的な構成が上下反転した配置となる。
【００４２】
ここで、下側ヒンジ装置Ａと上側ヒンジ装置Ｂの両者の可動ブロック２を固定ブロック１に対して所定角度（例えば９０°）回転させた状態にセットする。この状態で、扉１００の左右方向端部を持ち上げて、まずは下側ヒンジ装置Ａの固定ブロック１を、下側取付ベース６０の載置台７２の上面に載置する。このとき、載置台７２に設けた位置決め係合部７３の凹溝内に、固定ブロック１から下方に突出する被係合部（つまり位置調整用軸２３の下部）が挿入され、扉１００の位置決めがなされる。
【００４３】
この位置決め部分を支点として、扉１００全体を扉枠１１０側に押し込むことで、下側取付ベース６０に備えた一対の係止爪片６９間に、下側ヒンジ装置Ａが備える枠側連結具１４の鉛直プレート１３が弾性的に係止される。同様に、上側取付ベース８０に備えた一対の係止爪片６９間に、上側ヒンジ装置Ｂが備える枠側連結具１４の鉛直プレート１３が弾性的に係止される。つまり、位置決め係合部７３を支点として扉１００全体を押し込む作業により、これら取付構造を介して扉１００全体が扉枠１１０に仮保持される。
【００４４】
この仮保持状態において、取付構造を介して扉１００を扉枠１１０に本固定する。具体的には、下側ヒンジ装置Ａが備える枠側連結具１４の鉛直プレート１３に設けた位置固定孔２８から固定ネジ６８を挿入し、これを下側取付ベース６０の異形ナット７５に螺合させる。これにより、下側ヒンジ装置Ａの枠側連結具１４が下側取付ベース６０に固定される。同様に、上側ヒンジ装置Ｂにおいても、位置固定孔２８から固定ネジ６８を挿入して異形ナット７５に螺合させることで、上側ヒンジ装置Ｂの枠側連結具１４が上側取付ベース８０に固定される。
【００４５】
即ち、下側取付ベース６０と上側取付ベース８０において、一対の係止爪片６９が仮保持構造として機能し、ナット孔６６やここに嵌合される異形ナット７５が、本固定構造として機能する。
【００４６】
以上のように、本実施形態の取付構造では、下側取付ベース６０と上側取付ベース８０に設けた仮保持構造や本固定構造を利用することによって、仮に作業者が一人であっても扉１００を簡単に取り付けられるようになっている。
【００４７】
ここで、扉枠１１０に取り付けられた扉１００の開閉動作、即ち下側ヒンジ装置Ａや上側ヒンジ装置Ｂの開閉動作について述べる。本実施形態の下側ヒンジ装置Ａや上側ヒンジ装置Ｂの基本的な動作は、特開２００５−１４６６２５号公報に記載のものと同様であり、扉１００が全閉位置にあるときには、図１に示すように固定ブロック１と可動ブロック２は完全に重なった状態となる。
【００４８】
図１の全閉位置では、中間ブロック３から下方に突出した第一係止ピン３５の先端部分が、固定ブロック２の第一円弧状長孔２６の吊元側端部に位置する。また、中間ブロック３から上方に突出した第二係止ピン３６の先端部分が、扉側ブロック４の第二円弧状長孔４８の折れ曲がり部分４９端部に位置する。
【００４９】
上記の全閉位置から扉１００を開けると、扉側ブロック４は第二回転軸６まわりに回転することなく、中間ブロック３と一体に固定ブロック１に対して第一回転軸５まわりに回転する。これは、第二係止ピン３６が第二円弧状長孔４８の折れ曲がり部分４９端部に位置しているためである。連動アーム３７を含む中間ブロック３と扉側ブロック４とは、重なったまま第一回転軸５まわりに回転する。このとき、第一係止ピン３５は第一円弧状長孔２６内をスライド移動する。そして、図７に示す規定角度の位置にて、第一係止ピン３５が第一円弧状長孔２６と折れ曲がり部分２７との交差部分に当接し、中間ブロック３は回転を停止する。
【００５０】
図７の状態からさらに扉１００を開けると、中間ブロック３はこれ以上回転できないため、扉側ブロック４には第二回転軸６まわりに回転しようとする力が働く。この力により、第二円弧状長孔４８の折れ曲がり部分４９が第二係止ピン３６を押し出し、連動アーム３７を回転させながら、第二円弧状長孔４８と折れ曲がり部分４９との交差部分にまで第二係止ピン３６を移動させる。つまり、扉側ブロック４の中間ブロック３に対する回転ロックが解除され、扉側ブロック４は中間ブロック３に対して第二回転軸６まわりに回転自在となる。このとき、連動アーム３７の回転によって第一係止ピン３５は第一円弧状長孔２６の折れ曲がり部分２７端部にまでスライド移動し、固定ブロック１に対する中間ブロック３の回転をロックする。扉側ブロック４は、図８に示す位置にまでそのまま９０°回動される。
【００５１】
上記の動作をまとめると、図１の全閉位置から図７に示すような規定角度に至るまでは、中間ブロック３に対して連動アーム３７が動作せず、第一係止ピン３５が第一円弧状長孔２６内をスライド移動しながら、中間ブロック３と扉側ブロック４が第一回転軸５まわりに一体回転する。規定角度からさらに回転する方向に力を加えれば、中間ブロック３に対して連動アーム３７が回動し、固定ブロック１に対する中間ブロック３の回転をロックし、中間ブロック３に対する扉側ブロック４の回転ロックを解除する。つまり、第二回転軸６を中心に扉側ブロック４だけがさらに回転する動作となる。
【００５２】
これらの構造により、本実施形態の回転規制機構が構成される。この回転規制機構は、中間ブロック３の第一回転軸５まわりの回転が規定角度に至るまでは扉側ブロック４の第二回転軸６まわりの回転を禁止させ、規定角度に至れば第二回転軸６まわりの回転を可能にするものである。他の機構によってこの回転規制を実現しても構わない。
【００５３】
図８に示す全開放状態から扉１００を閉じると、上記動作と逆の順序で各部材が動作する。つまり、まずは固定ブロック１に対して中間ブロック３が回転ロックされた状態で扉側ブロック４のみが回転する。扉側ブロック４が中間ブロック３に重なる位置にまで至れば、今度は中間ブロック３に対して扉側ブロック４が回転ロックされ、固定ブロック１に対して中間ブロック３と扉側ブロック４が一体回転する。
【００５４】
次に、扉枠１１０に取り付けた状態で扉１００の位置調整を行うための構造や手順について説明する。
【００５５】
本実施形態では、上記したように、下側ヒンジ装置Ａ及び上側ヒンジ装置Ｂがそれぞれ備える固定ブロック１に、カム板１６の回転によって可動ブロック２ひいては扉１００の左右位置調整を行うカム機構を備えている。また、下側取付ベース６０及び上側取付ベース８０には、カム板６５の回転によって扉１００の前後位置調整を行うカム機構を備えている。下側取付ベース６０の載置台７２には、扉１００の上下位置調整を行うための昇降機構を備えている。以下、これら位置調整用の機構について順に述べる。
【００５６】
左右位置調整用のカム機構は、固定ブロック１の位置調整窓１７，１８を通じてカム板１６の十字溝にドライバ先端を挿入し、カム板１６を回転操作することによって位置調整プレート７を左右方向に位置調整するものである。これら位置調整窓１７，１８や十字溝からなる左右方向のカム操作部は、図１に示す全閉位置では、中間ブロック３と扉側ブロック４に覆われて操作不能である。また、固定操作窓２１，２２や固定ネジ１９からなる固定操作部も、図１の全閉位置では中間ブロック３と扉側ブロック４に覆われて操作不能である。
【００５７】
一方、中間ブロック３と扉側ブロック４が、全閉位置から所定角度を超えて図７の規定角度に至ったときに、このカム操作部と固定操作部が露出するように設けている。左右位置調整を行う場合は、扉１００を開いてカム操作部と固定操作部を露出させ、まず固定操作部の固定ネジ１９を緩めて固定状態を解除する。そのうえで、カム操作部の十字溝にドライバ先端を挿入し、カム板１６を回転させることで左右位置調整を行い、再び固定ネジ１９を締めてその左右位置を固定する。
【００５８】
前後位置調整用のカム機構は、枠側連結具１４の位置調整窓２９を通じてカム板６５の十字溝にドライバ先端を挿入し、カム板６５を回転操作することによって、位置調整プレート６１や位置調整スペーサ６２を前後方向に位置調整するものである。これら位置調整窓２９や十字溝からなる前後方向の位置調整部は、図１の全閉位置では、扉１００に隠れて操作不能となる。
【００５９】
一方、中間ブロック３と扉側ブロック４が、全閉位置から所定角度を超えて図７の規定角度に至ったときに、この前後方向のカム操作部が露出するように設けている。したがって、前後位置調整を行う場合は、扉１００を開いて前後方向のカム操作部を露出させておき、カム操作部の十字溝にドライバ先端を挿入し、カム板６５を回転させることで前後位置調整を行う。
【００６０】
上下位置調整用の昇降機構は、下側取付ベース６０の載置台７２に設けた上下調整ネジ７４の十字溝内にドライバ先端を挿入して回転させることにより、位置決め係合部７３をなす金属部材を昇降させ、上下の位置調整を行うものである。
【００６１】
以上のように、本実施形態の取付構造によれば、作業者が一人であっても前後、左右、上下の位置調整を簡単に行うことができる。特に、扉１００の荷重を、隣接する各ブロック１，３，４間の対向面等で受けさせたうえで、固定ブロック１内にてカム板１６を縦軸中心に回転させ、位置調整プレート部１０を水平方向に移動させて位置調整を行うことができるので、小さな力での位置調整が可能となる。
【００６２】
なお、本実施形態では固定ブロック１内のカム機構を左右位置調整用としているが、前後位置調整用となるように設けてもよい。また、固定ブロック１内に左右位置調整用のカム機構と前後位置調整用のカム機構の両方を備えてもよい。
【００６３】
次に、扉１００を扉枠１１０から取り外すための構造や手順について説明する。
【００６４】
本実施形態では、上述したように、下側ヒンジ装置Ａの固定ブロック１が備える枠側連結具１４に仮保持解除片５０を備えることによって、下側ヒンジ装置Ａを仮保持状態から解除する解除手段を構成している。同様に、上側ヒンジ装置Ｂにおいても、固定ブロック１が備える枠側連結具１４に仮保持解除片５０を備えることによって、上側ヒンジ装置Ｂを仮保持状態から解除する解除手段を構成している。
【００６５】
これら仮保持解除片５０を回転操作するための十字溝からなる解除操作部７０は、図１の全閉位置では、扉１００に隠れて操作不能となる。一方、中間ブロック３と扉側ブロック４が、全閉位置から所定角度を超えて図７の規定角度に至ったとき、そして、さらに扉１００を開いて図８の全開位置に至っときに、解除操作部７０が露出するように設けている。なお、図８に示すように、全開状態においては扉側ブロック４が固定ブロック１よりも前方（扉１００を開く方向）に位置し、且つ逆方向を向くように設けている。
【００６６】
扉１００を取り外すときは、扉１００を開けて固定ネジ６８とこの解除操作部７０を露出させ、固定ネジ６８を外して本固定を解除したうえで、この解除操作部７０の十字溝にドライバ先端を挿入し、仮保持解除片５０を回転操作すればよい。回転された仮保持解除片５０は、係止爪片６９の爪部分を外側に押し広げ、仮保持状態を解除させる。そして、位置決め係合部７３を支点として扉１００全体を動かすことにより、簡単に扉１００を取り外すことができる。
【００６７】
以上説明したように、本実施形態のヒンジ装置は、縦軸まわりに回転自在に連結された可動ブロック２と固定ブロック１を備える。可動ブロック２を扉１００の上端面又は下端面に固定し、固定ブロック１を扉枠１１０側に固定し、可動ブロック２と固定ブロック１を上下方向に対向する互いの対向面で摺接させて用いる。そして、固定ブロック１は、カム板１６の回転によって可動ブロック２を水平面上にて位置調整するカム機構を有する。
【００６８】
本実施形態のヒンジ装置は、扉１００の荷重をカム機構の部分によって直接的に受けるものではない。そのため、カム機構のカム板１６を回転させて可動ブロック２を水平方向に移動させるために大きなトルクが必要でなく、作業者一人でも簡単に扉１００の位置調整を行うことができる。
【００６９】
また、本実施形態の固定ブロック１は、カム板１６を外部から回転操作するためのカム操作部と、カム板１６の回転に伴って水平面上で位置調整される位置調整プレート部１０とを有する。そして、可動ブロック２が全閉位置にあるときはこの可動ブロック２がカム操作部を隠し、可動ブロック２が全閉位置から所定角度を超えて回転したときにはカム操作部を露出させるように設けている。
【００７０】
これにより、通常は目に付き難い箇所にカム操作部をコンパクトに形成することができ、しかもこのカム操作部を用いて簡単に位置調整を行うことが可能となる。
【００７１】
そして、このカム機構は、可動ブロック２を左右方向に位置調整するものである。つまり、本実施形態のヒンジ装置によれば、作業者一人でも簡単に扉１００の左右位置調整を行うことが可能となる。
【００７２】
以上、本発明を添付図面に示す実施形態に基づいて説明したが、本発明は実施形態に限定されるものではなく、本発明の意図する範囲内であれば、適宜の設計変更を行うことが可能である。
【符号の説明】
【００７３】
１  固定ブロック
２  可動ブロック
３  中間ブロック
４  扉側ブロック
５  第一回転軸
６  第二回転軸
１０  位置調整プレート部
１４  枠側連結具
１６  カム板
４３  扉側連結具
５０  仮保持解除片
６０  下側取付ベース
６４  カム孔
６９  係止爪片
７０  解除操作部
７２  載置台
７３  位置決め係合部
８０  上側取付ベース
１００  扉
１１０  扉枠
Ａ  上側ヒンジ装置
Ｂ  下側ヒンジ装置
【図１】
0005991805.tif 000002
【図２】
0005991805.tif 000003
【図３】
0005991805.tif 000004
【図４】
0005991805.tif 000005
【図５】
0005991805.tif 000006
【図６】
0005991805.tif 000007
【図７】
0005991805.tif 000008
【図８】
0005991805.tif 000009
【図９】
0005991805.tif 000010
【図１０】
0005991805.tif 000011
【図１１】
0005991805.tif 000012